(57)【要約】      （修正有）【課題】放水先の対象物が確認できる消火用放水ノズルを提供する。【解決手段】消火用放水ノズル１０は、水２０を放水する筒状のノズル部１２と、ノズル部１２に連結する筒状の放水本体部１４と、ノズル部１２と放水本体部１４の内部空間に配置する管状の弁部１６とを備え、放水本体部１４の前部にノズル部１２の後部を螺合し、ノズル部１２を回転させて放水形態を変化させ、放水本体部１４の後部に連結される消火ホース１８から供給される水２０をノズル部１２と弁部１６の頭部の間に形成される空間３０から拡散して放水し又は直線状に放水するものであって、ノズル部１２と弁部１６により形成されるノズル先端部分に発光体２４を設けるものである。これにより、視界ゼロの建物火災においても、放水先の対象物を確認しながら消火作業ができることから、火災現場の消防士は、迅速な消火活動を行うことができる。【選択図】図１
2017158796.tif 000002
【特許請求の範囲】
【請求項１】
水を放水する筒状のノズル部と、ノズル部に連結する筒状の放水本体部と、ノズル部と放水本体部の内部空間に配置する管状の弁部とを備え、放水本体部の前部にノズル部の後部を螺合し、ノズル部を回転させて放水形態を変化させ、放水本体部の後部に連結される消火ホースから供給される水をノズル部と弁部の頭部の間に形成される空間を介して拡散して放水し又は直線状に放水するものであって、ノズル部と弁部の頭部により形成されるノズル先端部分に発光体を設け、放水本体部に外部に連通する穴部を設け、穴部に弁部の後端部の中空部を連通させて放水本体部に弁部の後端部を固定することにより、弁部の中空部に発光体と外部の電源を接続する配線を備えることを特徴とする消火用放水ノズル。
【請求項２】
弁部の頭部に発光体を設けることを特徴とする請求項１記載の消火用放水ノズル。
【発明の詳細な説明】
【技術分野】
【０００１】
本発明は、建物等の火災においてその消火に用いる消火用放水ノズルに関するものである。
【背景技術】
【０００２】
毎年、建造物、山林・原野等の火災が発生しており、その出火件数の６割以上が建物火災である。建物火災の消火活動において、消火用放水ノズルが用いられている（例えば、特許文献１）
【先行技術文献】
【特許文献】
【０００３】
【特許文献１】実用新案登録第２５２３７７８号公報（図４、図５）
【発明の概要】
【発明が解決しようとする課題】
【０００４】
特許文献１に記載の消火用放水ノズルは、消火ホースの先端に装着する放水筒本体と、放水筒本体の前部外周に進退自在に螺合させるノズル筒体と、ノズル筒体内の中央部に、後端部が放水筒本体の内周面に一体に連結した弁軸体とを備え、弁軸体の先端に形成している大径弁部を先端面が拡径テーパ面に形成しているノズル筒体の先端ノズル部内の中央部に配設してなる構造のものである。消火ホースから供給される圧力水は、放水筒本体内からノズル筒体と弁軸体間の通路を流通し、大径弁部とノズル部の間（隙間）から放水される。
ノズル筒体を放水筒本体に対して相対的に後退させた場合には、弁軸体の弁部はノズル筒体のノズル部から前方に突出し、圧力水は所定の拡散角度で放水される。一方、前進させた場合には、弁軸体の弁部はノズル部内に没入させた状態になり、弁部とノズル部の平行な対向周面間から直線状の放水が行われる。
【０００５】
しかし、特許文献１の消火用放水ノズルによる放水では、建物火災の際発生する黒煙により、建物内の視界距離はほぼゼロとなることから、放水先の対象物が確認できず、手探りで出火場所を特定しながら消火活動を行っていた。このため、火災現場の消防士は、迅速な消火活動を行うことができなかった。
【０００６】
本発明は、上記課題を解決するもので、放水先の対象物が確認できる消火用放水ノズルを提供することを目的とするものである。
【課題を解決するための手段】
【０００７】
本発明の消火用放水ノズルは、水を放水する筒状のノズル部と、ノズル部に連結する筒状の放水本体部と、ノズル部と放水本体部の内部空間に配置する管状の弁部とを備え、放水本体部の前部にノズル部の後部を螺合し、ノズル部を回転させて放水形態を変化させ、放水本体部の後部に連結される消火ホースから供給される水をノズル部と弁部の頭部の間に形成される空間を介して拡散して放水し又は直線状に放水するものであって、ノズル部と弁部の頭部により形成されるノズル先端部分に発光体を設け、放水本体部に外部に連通する穴部を設け、穴部に弁部の後端部の中空部を連通させて放水本体部に弁部の後端部を固定することにより、弁部の中空部に発光体と外部の電源を接続する配線を備えるようにしたものである。
また、弁部の頭部に発光体を設けるようにしたものである。
【発明の効果】
【０００８】
本発明の消火用放水ノズルは、放水先の対象物を照らすことができることから、視界ゼロの建物火災において出火場所を容易に特定することができ、火災現場の消防士は、迅速な消火活動を行うことができる。
【図面の簡単な説明】
【０００９】
【図１】本発明の消火用放水ノズルの構造を示す図である。
【図２】本発明の消火用放水ノズルの弁部を表わす図である。
【図３】本発明の消火用放水ノズルにおけるノズルの放水角度（拡散角度）と放水の到達距離及び視認距離との関係を表わす図である。
【図４】本発明の消火用放水ノズルにおけるノズルの放水角度（拡散角度）と放水地点（放水先までの距離）との関係を表わす図である。
【図５】本発明の消火用放水ノズルの放水状態を表わす図である。
【図６】本発明の消火用放水ノズルの放水現場の状態を表わす図である。
【図７】本発明の消火用放水ノズルの放水状態を表わす図である。
【図８】本発明の消火用放水ノズルの放水状態を表わす図である。
【図９】本発明の消火用放水ノズルの放水状態を表わす図である。
【図１０】本発明の消火用放水ノズルの放水状態を表わす図である。
【図１１】本発明の消火用放水ノズルの放水状態を表わす図である。
【発明を実施するための形態】
【００１０】
本発明は、消火用放水ノズルの先端に発光体を設けることにより、放水先の対象物を視認しながら消火できることを実現するものである。
【実施例】
【００１１】
本発明の消火用放水ノズルを図に基づいて説明する。図１は、本発明の消火用放水ノズルの構造を示す図である。図２は、本発明の消火用放水ノズルの弁部を表わす図であり、図（ａ）は中央縦断面図であり、図（ｂ）は底面図である。
本発明の消火用放水ノズル１０は、ノズル部１２と、放水本体部１４と、弁部１６とを備えるものである。ノズル部１２、放水本体部１４は、筒状に形成されている。放水本体部１４の前部にノズル部１２の後部が螺合されており、ノズル部１２は回転可能な状態で放水本体部１４に連結されている。放水本体部１４の後部は、消火ホース１８が連結できるようになっている。消火ホース１８から供給される圧力水２０は、放水本体部１４を通り、ノズル部１２の開口部１２ａから放水される。
【００１２】
弁部１６は、管状のものであり、ノズル部１２と放水本体部１４の内部空間２２に配置されている。弁部１６の頭部１６ａは、円盤状に形成されており、ノズル部１２の開口部１２ａから放水される圧力水２０を制御するものである。ノズル部１２を回転させてノズル１０の前方に移動させ、弁部１６の頭部１６ａをノズル部１２の開口部１２ａ内に位置させることにより直線状（又は棒状）に放水できる（放水２０Ａで形成される筒状の放水Ａ）。また、ノズル部１２を逆に回転させてノズル１０の後方に移動させ、弁部１６の頭部１６ａをノズル部１２の開口部１２ａの外部に位置させることにより拡散して放水できる（放水２０Ｂで形成される傘状の放水Ｂ）。
ノズル部１２の内部空間２２には、弁部１６の頭部１６ａの外縁が当接するように形成される座部１２ｂが設けられている。座部１２ｂは、ノズル部１２内壁から突出しテーパ状に形成されている。弁部１６の頭部１６ａは、座部１２ｂの前方に配置されており、ノズル部１２を回転させ、弁部１６の頭部１６ａが座部１２ｂに当接すると、放水が停止するようになっている。
【００１３】
消火用放水ノズル１０により放水される圧力水２０は、拡散して放水する場合と直線状に放水する場合のいずれにおいても、ノズル部１２の先端部内壁と弁部１６の頭部１６ａとの間に形成される空間３０（隙間）を介して放水される。このとき、放水により形成される放水ライン（水柱）は水の膜で形成され、放水ラインの内部には水が存在しない空間３２ａ，３２ｂができる。たとえば、図１に示すように、直線状に放水する場合（筒状の放水Ａの時）は筒状の空間３２ａが形成され、拡散して放水される場合（傘状に広がる放水Ｂの時）は傘の石突から広がる傘布（カバー）のような空間３２ｂが形成される。したがって、放水時において、ノズル部１２と弁部１６の頭部１６ａにより形成されるノズル先端部分の前方には、水が存在しない空間３２ａ，３２ｂが形成される。
上記ノズル先端部分に発光ダイオード（ＬＥＤ）などの発光体２４を設ける。これにより、放水時に発光体２４を点灯することにより、放水先の放水対象物を照らすことができ、放水対象物を視認することができる。図１及び図２では、発光体２４は、弁部１６の頭部１６ａに設けられている。
【００１４】
また、弁部１６は、管状のものである。放水本体部１４には、外部に通じる穴部１４ａが設けられている。穴部１４ａに、弁部１６の後端部の中空部１６ｃを連通させて、放水本体部１４に弁部１６の後端部を固定し、弁部１６の中空部１６ｃに発光体２４と外部の電源２６を接続する配線２８（導線）を備える。
また、弁部１６の後端部１６ｂを、図１および図２に示すように、円盤状に形成してもよい。この場合は、円盤状の後端部１６ｂの外縁は、放水本体部１４の内壁に嵌め込み固定する。また、円盤状に形成された後端部１６ｂの中に、弁部１６の中空部１６ｃを形成し、放水本体部１４の穴部１４ａに連通させる。なお、円盤状の後端部１６ｂには、弁部１６の中空部１６ｃを形成する部分以外の部分に、圧力水２０が通過する通路１６ｄを設ける。
【００１５】
以上のように、弁部１６の後端部１６ｂを放水本体部１４に連結し、弁部１６の頭部１６ａを大径（円盤状）に形成するとともに、その頭部１６ａに発光体２４を設け、外部に設ける電源２６と発光体２４とを接続する配線２８を弁部１６の中空部１６ｃに配置することにより、消火ホース１８から供給される圧力水２０を、弁部１６の頭部１６ａとノズル部１２の間の空間３０から放水し、また、放水時に発光体２４を点灯することにより、放水先の対象物を照らすことができ、対象物を視認することができる。
消火用放水ノズル１０により放水される圧力水２０（放水ライン）は、弁部１６の頭部１６ａに設けられた発光体２４の点灯（光）により、放水ライン自体が発光体のように点灯し、照明具のように放水先の対象物やその周囲を照らすことができる（図５）。
【００１６】
次に、ノズルの放水角度（拡散角度）と放水の到達距離及び視認距離との関係について、図３に基づいて説明する。図３の実験は、放水位置からの距離が表示された看板を設置して行った。看板は、看板支柱により地上１ｍのところに設置した。ノズルの放水角度は、放水本体部に螺合するノズル部を回転させ、ノズル部内における弁部の頭部の位置を変えることにより、変化させた。
本実験は、夜間、煙が発生していない原野にて実施した（図６）。
放水の到達距離は、放水位置から放水が届く場所までの距離を表わすものである。視認距離は、放水時に視認できる場所までの距離を表わすものであり、本実験では表示が確認できる看板までの距離をいう。
ノズルの放水角度（拡散角度）１２０度のとき、放水の到達距離は２ｍであった。９０度のとき、放水の到達距離は３ｍであった。６０度のとき、放水の到達距離は４ｍであった。これらの場合、放水ラインを到達距離まですなわち放水先まで視認することができた。
４５度のとき、放水の到達距離は５ｍであった。しかし、到達距離２ｍを超えると放水ラインの放水先を視認することができなかった。
拡散角度０度すなわち直線状に放水したとき、拡散角度４５度のときと同様、放水の到達距離は５ｍであった。しかし、放水ラインの放水先を視認することができなかった。
【００１７】
続いて、ノズルの放水角度（拡散角度）と放水地点（放水先までの距離）との関係について、図４に基づいて説明する。図４の実験では、図３の実験において視認できた放水先に放水対象物（上部及び側面にカタカナ文字「イ」を描いた箱）を置いて放水し、放水対象物の視認の可否を確認した。
ノズルの放水角度（拡散角度）６０度のとき、放水位置から４ｍの位置（距離）に放水対象物を置いて放水したところ、放水対象物を視認することができた（図７）。拡散角度９０度のとき、放水位置から３ｍの位置に放水対象物を置いて放水したところ、放水対象物を視認することができた（図８）。拡散角度１２０度及び４５度のとき、放水位置から２ｍの位置に放水対象物を置いて放水したところ、放水対象物を視認することができた（図９及び図１０）。
以上のことから、本発明の消火用放水ノズルを用いて圧力水を４５度乃至１２０度で拡散して放水することにより、視界ゼロの建物火災時においても、放水位置から２ｍ乃至４ｍ先の放水対象物を確実に特定することができることが分かった。これにより、本発明によると、放水対象物（たとえば、出火場所等）を視認しながら放水・消火することが可能になる。
なお、拡散角度０度すなわち直線状に放水したときは、放水対象物は視認できなかった（図１１）。拡散角度０度の放水では、ノズルの先約４０ｃｍのところで水が交差し、その交差地点で光が遮断される現象が発生し、手元しか照らされなかった。
【００１８】
図３及び図４の実験は、煙が発生していない場所にて行われた。建物火災では、建物内は黒煙で視界ゼロの状態になる。しかし、放水時、黒煙は放水により放水ライン方向に押し退けられることから、放水ラインの領域には黒煙は存在しなくなる。したがって、建物火災の現場でも、上記実験結果と同様、放水先の対象物を視認（確認）しながら消火できる。
【００１９】
本発明によると、視界ゼロの建物火災においても、放水位置から放水先の対象物（たとえば出火場所等）を確認しながら、消火作業ができることから、火災現場の消防士は、迅速な消火活動を行うことができる。
【符号の説明】
【００２０】
１０  消火用放水ノズル
１２  ノズル部
１２ａ  ノズル部の頭部
１４  放水本体部
１４ａ  放水本体部の穴部
１６  弁部
１６ｃ  弁部の中空部
２０  水
２２  内部空間
２４  発光体
２６  外部電源
２８  配線
３０  空間
【図１】
2017158796.tif 000003
【図２】
2017158796.tif 000004
【図３】
2017158796.tif 000005
【図４】
2017158796.tif 000006
【図５】
2017158796.tif 000007
【図６】
2017158796.tif 000008
【図７】
2017158796.tif 000009
【図８】
2017158796.tif 000010
【図９】
2017158796.tif 000011
【図１０】
2017158796.tif 000012
【図１１】
2017158796.tif 000013
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
水を放水する筒状のノズル部と、ノズル部に連結する筒状の放水本体部と、ノズル部と放水本体部の内部空間に配置する管状の弁部とを備え、放水本体部の前部にノズル部の後部を螺合し、ノズル部を回転させて放水形態を変化させ、放水本体部の後部に連結される消火ホースから供給される水をノズル部と弁部の頭部の間に形成される空間を介して拡散して放水し又は直線状に放水するものであって、弁部の頭部に発光体を設け、放水本体部に外部に連通する穴部を設け、穴部に弁部の後端部の中空部を連通させて放水本体部に弁部の後端部を固定することにより、弁部の中空部に発光体と外部の電源を接続する配線を備えることを特徴とする消火用放水ノズル。
【手続補正２】
【補正対象書類名】明細書
【補正対象項目名】０００７
【補正方法】変更
【補正の内容】
【０００７】
本発明の消火用放水ノズルは、水を放水する筒状のノズル部と、ノズル部に連結する筒状の放水本体部と、ノズル部と放水本体部の内部空間に配置する管状の弁部とを備え、放水本体部の前部にノズル部の後部を螺合し、ノズル部を回転させて放水形態を変化させ、放水本体部の後部に連結される消火ホースから供給される水をノズル部と弁部の頭部の間に形成される空間を介して拡散して放水し又は直線状に放水するものであって、弁部の頭部に発光体を設け、放水本体部に外部に連通する穴部を設け、穴部に弁部の後端部の中空部を連通させて放水本体部に弁部の後端部を固定することにより、弁部の中空部に発光体と外部の電源を接続する配線を備えるようにしたものである。